(57)【要約】      （修正有）【課題】  スピーカーの筐体を安価に提供する。【解決手段】その１としてスピーカーの筐体をブロー成型により製造することとし、その２として熱溶融性樹脂の素材をブロー成型してスピーカーの筐体を製造することとし、その３としてポリエチレンテレフタレートの素材をブロー成型してスピーカーの筐体を製造することとし、その４として透明観のあるスピーカーの筐体にスピーカーに供給される音声電流により光る発光ダイオードが設けられていることとしている。【選択図】  図１
2005117598.tif 000002
【特許請求の範囲】
【請求項１】
ブロー成型により作られることを特徴とするスピーカーの筐体。
【請求項２】
熱溶融樹脂の素材が、ブロー成型により作られることを特徴とするスピーカーの筐体。
【請求項３】
ポリエチレンテレフタレートの素材が、ブロー成型により作られることを特徴とするスピーカーの筐体。
【請求項４】
透明観のある素材により作られたスピーカーの筐体に、スピーカーに供給される音声電流により光る発光ダイオードが設けられているスピーカーの筐体。
【発明の詳細な説明】
【発明の詳細な説明】
【発明が属する技術分野】
【０００１】  本発明はスピーカーの筐体に関する。
【背景技術】
【０００２】  今日スピーカーは、高級なものとしてステレオ装置は当然のこととして、ラジオ、テレビジョン、パーソナルコンピュータを初め、様々なオモチャにも使用されている。スピーカーは電気信号を空気の振動に変化させるものであり、振動するコーンの部分は機械的に弱い。このためにスピーカーは裸で使用することは非常に稀で、通常後部は筐体の中に入れ、前部は布等で覆い保護している。ステレオ装置に使用するスピーカーは室内のインテリアとしての役割もあり、この筐体は豪華な化粧板が施されている。いい音を出力させるだけではなく、インテリアとなるステレオ装置のスピーカーの筐体は必然的に高価のものとなる。【０００３】  スピーカーはステレオ装置に使用する豪華なものだけではなく、人の目に触れずに使用されているものもある。この様なスピーカーに使用する筐体は豪華にする必要がなく、単にスピーカーの機械的な弱い部分を保護すれば十分である。【０００４】  スピーカーはアンプから送られてきた音声信号を音に変換するものである。スピーカーの機能は音を出力するだけであり、これだけで充分という考え方が支配している。
【発明が解決しようとする課題】
【０００４】  ステレオ装置に使用するようなスピーカーの筐体以外の物は、従来金属をプレス加工したり、射出成型により作っていた。このような製造方法は、木材等を使用し化粧を施すステレオ装置のスピーカーの筐体よりも安く製造することができる。しかしながらプレス加工にしても射出成型するにしても、圧力を高くする必要があり、型を作るのが非常に高いのである。需要者からもっとスピーカーの筐体を安価に提供するように求められており、プレス加工や射出成型では需要者の要求には応えることが出来なくなってきている。
【０００５】  通常スピーカーは音を出力させるものであるが、これだけではなく、付加的に新たな機能を持たせることを要望する声もある。
【課題を達成するための手段】
本発明は前記課題を達成するためになされたものであって、プレス加工や射出成型よりもはるかに安価に出来るスピーカーの筐体を提供することを目的としている。
前記目的のために、本発明ではその１としてスピーカーの筐体をブロー成型により製造することとし、
その２として熱溶融性樹脂の素材をブロー成型してスピーカーの筐体を製造することとし、
その３としてポリエチレンテレフタレートの素材をブロー成型してスピーカーの筐体を製造することとし、
その４として透明観のあるスピーカーの筐体にスピーカーに供給される音声電流により光る発光ダイオードが設けられていることとしている。
【発明を実施するための最良の形態】
【０００６】  以下、本発明を図面に示す実施例に基づき詳細に説明をする。最初にこの実施例で採用しているブロー成型について簡単に説明をする。ブロー成型は円筒状の熱溶融性樹脂（パリソン）が加熱部から押し出され、パリソンの一端又は両端を閉じ、一対の型内で空気を送り込み、パリソンの外周を型に押し付けることにより成型する方法である。射出成型のように圧力を高くする必要が無いことから、型を作るのが安価であることがメリットとなっており、シャンプー等の液体の容器を作るメインとなっている。【０００７】  図１と図２にはブロー成型によりスピーカーの筐体が製造される過程が示されている。図１の中央上にはパリソン５を押し出すダイ４があり、パリソン５を囲むように一対の型１、２が離れて設けられている。図１に示されているパリソン５の下端は既に閉じられている。図１に示されている状態から一対の型１，２は矢印に示されている方向、つまり互いに密着する方向に移動する。この実施例ではパリソン５の素材はポリエチレンテレフタレートを使用している。この他の素材であっても熱溶融性樹脂であれば、使用することができる。【０００８】  一対の型１、２の下方が密着した後に、上のダイ４方向から空気が送られてくる。パリソン５は熱溶融性樹脂であり、ダイ４から押し出されてもしばらくの間は軟らかい。下方が閉じられているパリソン５、は空気が送り込まれると逃げ場がなく、中央から一対の型１、２方向にパリソン５を押し付ける力となり、図２に示されているようにパリソン５の外形は一対の型の形に従うこととなる。【０００９】  パリソン５の温度が下がり硬くなってから、一対の型１、２を離れる方向に移動させ、パリソン５を取り出す。このパリソン５がスピーカーの筐体になる。この後パリソン５により作られた筐体につき、バリ等を取り除き、スピーカーを取り付けるネジ穴等をあければ、スピーカーの筐体の完成となる。この図面では上側がスピーカーの取り付け口となっている。【００１０】  図３には、台８を取り付けたスピーカー１３の筐体９の断面図が画かれている。この筐体９は透明観のあるポリエチレンテレフタレートで作られており、内部が透き通って見える。ネジ１５により取り付けられたスピーカー１３にはプラグ１１及びコード１２を介して音声信号が供給される。【００１１】  図３に示されている筐体９の内部にはスピーカー１３のみでなく、発光ダイオード１０がスピーカー１３の音声信号回路に並列に接続されている。このように発光ダイオード１０を接続すると、スピーカー１３に音声信号が流れた時に、当然スピーカー１３から音が出力されるが、これと同時に発光ダイオード１０にも音声信号が流れ、これが発光する。発光ダイオード１０は音声信号が流れた時に単純に光るのではなく、音声信号の周波数により発光する光の色が変化する。この周波数が７０Ｈｚ以下の場合はブルー、８０Ｈｚ位の場合はグリーン、１００Ｈｚ位の時はオレンジ、１４０Ｈｚ位のときはピンクに発光する。【００１２】  光がない物よりも、光っている物の方が目立ち、単に光っている物よりも、発光する光の色が変化する方がより目立つ。従来のスピーカーでは光るものはなく、これが実施例に示すように光り、これに加えて発���する光が変化すれば人の興味をよりひくこととなる。人の目を引き付ける光を発するスピーカーを、ブロー成型によれば安価に提供することが出来る。
【発明の効果】
【００１３】  本発明は前記実施例に示すように構成されることにより、従来のスピーカーの筐体よりも安価に提供することができる。また、透明観のあるスピーカーの筐体の内部に、音声信号の周波数により発光する色が変化する発光ダイオードを設ければ、人の目を引き付けるスピーカーの筐体を安価に提供することが出来る。
【図面の簡単な説明】
【図１】  スピーカーの筐体をブロー成型する時の初期段階を示した図。
【図２】  スピーカーの筐体をブロー成型する時の最終段階を示した図。
【図３】  発光ダイオードを取り付けたスピーカーの筐体の断面図。
【符号の説明】
１、２・・一対の型    ４・・ダイ    ５・・パリソン    ８・・台
９・・筐体    １０・・発光ダイオード    １３・・スピーカー
【図１】
2005117598.tif 000003
【図２】
2005117598.tif 000004
【図３】
2005117598.tif 000005